(57)【要約】【課題】  複数の吹出口の任意の１つ以上を閉鎖すること。【解決手段】  天井埋め込み型空気調和機の室内ユニットは、４つの吹出口５Ａ，５Ｂを有し、４つの吹出口５Ａ，５Ｂに空気を送る羽２３と、羽２３から４つの吹出口５Ａ，５Ｂ，５Ｃ，５Ｄそれぞれに通じる４つの通風路１３Ａ，１３Ｂ，１３Ｃ，１３Ｄと、４つの通風路１３Ａ，１３Ｂ，１３Ｃ，１３Ｄにそれぞれ対応して設けられ、４つの通風路１３Ａ，１３Ｂ，１３Ｃ，１３Ｄをそれぞれ閉鎖する４つの遮蔽板１１Ａ，１１Ｂ，１１Ｃ，１１Ｄと、を備える。【選択図】        図２
2011080705.tif 000002
【特許請求の範囲】
【請求項１】
複数の吹出口を有する天井埋め込み型空気調和機であって、
前記複数の吹出口に空気を送る送風手段と、
前記送風手段から前記複数の吹出口それぞれに通じる複数の通風路と、
前記複数の通風路にそれぞれ対応して設けられ、前記複数の通風路をそれぞれ閉鎖する複数の閉鎖手段と、を備えた天井埋め込み型空気調和機。
【請求項２】
前記送風手段と、前記複数の通風路それぞれとの間に設けられた熱交換器と、
前記熱交換器に結露する水を受けるドレインと、をさらに備え、
前記複数の閉鎖手段それぞれは、前記複数の通風路のうち対応する通風路を閉鎖した状態において、一部が前記ドレインの上側に位置する、請求項１に記載の天井埋め込み型空気調和機。
【請求項３】
前記送風手段が送る空気の量を制御する送風制御手段をさらに備え、
前記送風制御手段は、前記複数の吹出口のうち閉鎖される吹出口の数に応じて、風量を制御する、請求項１または２のいずれかに記載の天井埋め込み型空気調和機。
【請求項４】
複数の吹出口を有する天井埋め込み型空気調和機であって、
前記複数の吹出口に空気を送る送風手段と、
前記送風手段が送る空気の量を制御する送風制御手段と、
前記複数の吹出口の少なくとも１つを閉鎖する閉鎖手段と、を備え、
前記送風制御手段は、前記複数の吹出口のうち前記閉鎖手段により閉鎖される吹出口の数に応じて、風量を制御する、天井埋め込み型空気調和機。
【請求項５】
前記複数の吹出口それぞれの状態を表示する第１状態表示手段を、さらに備えた請求項１〜４のいずれかに記載の天井埋め込み型空気調和機。
【請求項６】
請求項１〜５のいずれかに記載の天井埋め込み型空気調和機を遠隔制御するためのリモートコントローラであって、
前記複数の吹出口それぞれの状態を表示する第２状態表示手段を備えた、リモートコントローラ。
【発明の詳細な説明】
【技術分野】
【０００１】
この発明は、天井埋め込み型空気調和機およびリモートコントローラに関し、特に複数の吹出口を有する天井埋め込み型空気調和機およびその空気調和機を遠隔操作するためのリモートコントローラに関する。
【背景技術】
【０００２】
天井埋め込み型空気調和機は、室内の空気を効率的に調和させるために４方向に吹出口を有するものが多く、部屋の壁からできるだけ離れた位置、好ましくは天井の中央部分に設置されることが好ましい。しかしながら、例えば、複数人が作業する事務室などにおいては、冷風が直接肌に当たるのを嫌う人もいれば、逆にできるだけ冷風を直接受けることを望む人もいる。このため、特開２００３−１３６３８２号公報には、吹出口に設けた風向を変更する風向ベーンを独立して制御できるように個別に駆動装置を設けた空気調和機が記載されている。
【０００３】
しかしながら、従来の風向を変更する空気調和機においても、壁側の吹出口から空気が排出されるので、建物の構造、または配管スペース等の問題から部屋の中心ではなく、部屋の４隅の壁に近い位置に設置される場合があり、この場合には次の問題がある。４方向のうち壁側の１方向は、吹出口から吹き出される空気が壁に衝突してしまい、噴出された空気が室内を循環しないといった問題がある。また、壁に結露が発生することもある。さらに、風向を変更するだけでは、変更後の方向に空気が吹き出されるので、変更後の方向に存在する人に冷風が直接当たってしまうといった問題がある。
【特許文献１】特開２００３−１３６３８２号公報
【発明の概要】
【発明が解決しようとする課題】
【０００４】
この発明は上述した問題点を解決するためになされたもので、この発明の目的の１つは、複数の吹出口の任意の１つ以上を閉鎖することが可能な天井埋め込み型空気調和機を提供することである。
【０００５】
この発明のさらに他の局面によれば、閉鎖される吹出口の数に係わらず風量を一定に保つことが可能な天井埋め込み型空気調和機を提供することである。
【０００６】
この発明の他の目的は、天井埋め込み型空気調和機の閉鎖される吹出口を通知することが可能なリモートコントローラを提供することである。
【課題を解決するための手段】
【０００７】
上述した目的を達成するためにこの発明のある局面によれば、天井埋め込み型空気調和機は、複数の吹出口を有する天井埋め込み型空気調和機であって、複数の吹出口に空気を送る送風手段と、送風手段から複数の吹出口それぞれに通じる複数の通風路と、複数の通風路にそれぞれ対応して設けられ、複数の通風路をそれぞれ閉鎖する複数の閉鎖手段と、を備える。
【０００８】
この局面に従えば、複数の通風路にそれぞれ対応して複数の閉鎖手段が設けられるので、複数の通風路を独立して閉鎖することができる。このため、複数の吹出口の任意の１つ以上を閉鎖することが可能な天井埋め込み型空気調和機を提供することができる。
【０００９】
好ましくは、送風手段と、複数の通風路それぞれとの間に設けられた熱交換器と、熱交換器に結露する水を受けるドレインと、をさらに備え、複数の閉鎖手段それぞれは、複数の通風路のうち対応する通風路を閉鎖した状態において、一部がドレインの上側に位置する。
【００１０】
この局面に従えば、閉鎖手段は、通風路を閉鎖した状態において、一部がドレインの上側に位置するので、閉鎖手段に結露した水がドレインに流れる。このため、閉鎖手段に結露した水が室内に排出されるのを防止することができる。
【００１１】
好ましくは、送風手段が送る空気の量を制御する送風制御手段をさらに備え、送風制御手段は、複数の吹出口のうち閉鎖される吹出口の数に応じて、風量を制御する。
【００１２】
この局面に従えば、複数の吹出口のうち閉鎖されるものの数に係わらず、風量を一定に保つことができる。
【００１３】
この発明の他の局面によれば、複数の吹出口を有する天井埋め込み型空気調和機であって、複数の吹出口に空気を送る送風手段と、送風手段が送る空気の量を制御する送風制御手段と、複数の吹出口の少なくとも１つを閉鎖する閉鎖手段と、を備え、送風制御手段は、複数の吹出口のうち閉鎖手段により閉鎖される吹出口の数に応じて、風量を制御する。
【００１４】
この局面に従えば、複数の吹出口のうち閉鎖手段により閉鎖される吹出口の数に応じて、風量を制御するので、閉鎖される吹出口の数に係わらず風量を一定に保つことが可能な天井埋め込み型空気調和機を提供することができる。
【００１５】
好ましくは、複数の吹出口それぞれの状態を表示する第１状態表示手段を、さらに備える。
【００１６】
この局面に従えば、複数の吹出口それぞれの状態が表示されるので、複数の吹出口の状態をユーザに通知することができ、操作の利便性を向上することができる。
【００１７】
この発明のさらに他の局面によれば、リモートコントローラは、上記天井埋め込み型空気調和機を遠隔制御するためのリモートコントローラであって、複数の吹出口それぞれの状態を表示する第２状態表示手段を備える。
【００１８】
この局面に従えば、天井埋め込み型空気調和機が備える複数の吹出口それぞれの状態が表示されるので、天井埋め込み型空気調和機の閉鎖される吹出口を通知することが可能なリモートコントローラを提供することができる。
【発明を実施するための形態】
【００１９】
以下、本発明の実施の形態について図面を参照して説明する。以下の説明では同一の部品には同一の符号を付してある。それらの名称および機能も同じである。従ってそれらについての詳細な説明は繰り返えさない。
【００２０】
図１は、本実施の形態の１つにおける空気調和機の室内ユニットの概観を示す斜視図である。図１を参照して、空気調和機の室内ユニット１は、設置される天井に露出する化粧板２を備えている。その化粧板２には、４方向それぞれに空気を吹き出すための吹出口５Ａ，５Ｂ，５Ｃ，５Ｄと、空気を吸い込む吸込口３と、ＬＥＤ７Ａ、７Ｂ，７Ｃ，７Ｄと、リモコン受信部３３と、を含む。ＬＥＤ７Ａ，７Ａ，７Ｂ，７Ｃ，７Ｄは、吹出口５Ａ，５Ｂ，５Ｃ，５Ｄの近傍にそれぞれ配置され、吹出口５Ａ，５Ｂ，５Ｃ，５Ｄの状態を表示する。吹出口５Ａ，５Ｂ，５Ｃ，５Ｄの状態については、後述するが、吹出口５Ａ，５Ｂ，５Ｃ，５Ｄが空気を排出する開状態と、空気を排出しない閉状態とを含む。ＬＥＤ７Ａ，７Ａ，７Ｂ，７Ｃ，７Ｄは、吹出口５Ａ，５Ｂ，５Ｃ，５Ｄが開状態において青色で点灯し、閉状態において赤色で点灯する。
【００２１】
本実施の形態における空気調和機は、室の外に設置される室外ユニットと、室内に設置される室内ユニット１とを備えた分離型のヒートポンプ式空気調和装置である。室内ユニット１は、室外ユニットと接続されており、室内ユニット１と室外ユニットとの間で冷媒を循環させることにより、室内の空気を冷やすまたは暖める。室外ユニットは、圧縮機、アキュムレータおよび室外熱交換器を有し、従来周知である。また、室外ユニットおよびそれと室内ユニット１との間の構成は、従来周知である。従って、ここでは説明を繰り返さない。
【００２２】
また、空気調和機は、後述するリモートコントローラ６１（図４参照）によって、遠隔操作可能である。リモコン受信部３３は、リモートコントローラ６１から発せられる赤外光を受光する。
【００２３】
なお、ここでは、空気調和機の室内ユニット１は、４方向それぞれに対応する吹出口５Ａ，５Ｂ，５Ｃ，５Ｄを有する例を示すが、４方向に限定するものではなく、２以上の吹出口を有する空気調和装置であればよい。
【００２４】
図２は、空気調和機の室内ユニットの断面図である。図２を参照して、室内ユニット１は、室内ユニット１の全体を制御する制御部５１と、空気の吸込口３および吹出口５Ａ，５Ｂ，５Ｃ，５Ｄと、室内熱交換器２５と、空気の吸込口３から吹出口５Ａ，５Ｂ，５Ｃ，５Ｄに向けて筐体内に空気を導通させる羽２３と、羽２３を回転させる送風モータ２１と、を備える。
【００２５】
送風モータ２１は、制御部５１により制御され、羽２３を回転させる。羽２３が回転することにより、空気の流れが発生し、吸込口３から室内の空気が吸い込まれ、室内熱交換器２５、通風路１３Ａ，１３Ｂを通って、吹出口５Ａ，５Ｂから室内に放出される。吸込口３から吸い込まれた空気は、室内熱交換器２５によって、熱交換されて、冷房時には冷やされ、暖房時には暖められる。室内熱交換器２５の下方には、ドレイン１５Ａが設けられている。ドレイン１５Ａは、室内熱交換器２５に結露した水を集めて、室外ユニットに導く。
【００２６】
熱交換された空気は、通風路１３Ａ，１３Ｂを通って、吹出口５Ａ，５Ｂから室内に送出される。通風路１３Ａ，１３Ｂの下流、吹出口５Ａ、５Ｂの近傍に、風向を変更するための風向調整板９Ａ，９Ｂがそれぞれ設けられる。風向調整板９Ａは、吹出口５Ａの長手方向に平行な軸を中心に回転可能であり、後述する開閉モータ３１（図３参照）により駆動されて、風向を変更する。風向調整板９Ｂは、吹出口５Ｂの長手方向に平行な軸を中心に回転可能であり、後述する開閉モータ３１により駆動されて、風向を変更する。
【００２７】
また、通風路１３Ａ、１３Ｂの上流、室内熱交換器２５側に、遮蔽板１１Ａ，１１Ｂがそれぞれ設けられている。遮蔽板１１Ａは、吹出口５Ａの長手方向に平行な軸を中心に回転可能であり、後述する開閉モータ３１により駆動されて、通風路１３Ａを閉鎖する状態と、開放する状態とのいずれかに状態を変化させる。図２においては、遮蔽板１１Ａが閉じた状態を実線で示し、開いた状態を点線で示す。遮蔽板１１Ａが閉じた状態において、遮蔽板１１Ａの室内熱交換器２５側の端部は、ドレイン１５Ａの上方でドレイン１５Ａに接する。このため、遮蔽板１１Ａに結露した水は、ドレイン１５Ａに流れる。遮蔽板１１Ｂは、吹出口５Ｂの長手方向に平行な軸を中心に回転可能であり、後述する開閉モータ３１により駆動されて、通風路１３Ｂを閉鎖する状態と、開放する状態とのいずれかに状態を変化させる。図２においては、遮蔽板１１Ｂが開いた状態を実線で示し、閉じた態を点線で示す。遮蔽板１１Ｂが閉じた状態において、遮蔽板１１Ｂの室内熱交換器２５側の端部は、ドレイン１５Ｂの上方でドレイン１５Ｂに接する。このため、遮蔽板１１Ｂに結露した水は、ドレイン１５Ｂに流れ、室外ユニットに導かれるので、室内に水が排出されるのを防止することができる。
【００２８】
吹出口５Ａ，５Ｂに対応して、通風路１３Ａ，１３Ｂ、風向調整板９Ａ，９Ｂ、遮蔽板１１Ａ，１１Ｂがそれぞれ設けられるのと同様に、吹出口５Ｃ，５Ｄに対応して、通風路１３Ｃ，１３Ｄ、風向調整板９Ｃ，９Ｄ、遮蔽板１１Ｃ，１１Ｄがそれぞれ設けられる。
【００２９】
風向調整板９Ａ，９Ｂ，９Ｃ，９Ｄは、独立して制御され、４つの吹出口５Ａ，５Ｂ，５Ｃ，５Ｄそれぞれから吹き出される空気の吹き出し角度を、独立して変更可能である。また、遮蔽板１１Ａ，１１Ｂ，１１Ｃ，１１Ｄは、独立して制御され、開状態と閉状態とに変化することにより、４つの通風路１３Ａ，１３Ｂ，１３Ｃ，１３Ｄそれぞれを独立して遮断する。
【００３０】
図３は、室内ユニットを制御するための制御部の機能の一例を示すブロック図である。図３を参照して、制御部５１は、リモコン受信部３３と接続される制御信号受付部５５と、開閉モータ３１を制御する開閉制御部５７と、送風モータ２１を制御する送風制御部５３と、ＬＥＤ７Ａ，７Ｂ，７Ｃ，７Ｄを制御する状態表示部５９と、を含む。
【００３１】
リモコン受信部３３は、リモートコントローラ６１が発する光を受光し、受光した光により定まる制御信号を制御部５１に出力する。制御信号受付部５５は、リモコン受信部３３から入力される制御信号を受け付け、受け付けられた制御信号を送風制御部５３および開閉制御部５７に出力する。
【００３２】
制御信号は、吹出口５Ａ、５Ｂ，５Ｃ，５Ｄそれぞれの状態を決定する信号と、風量を決定する信号とを含む。吹出口５Ａ、５Ｂ，５Ｃ，５Ｄそれぞれの状態を決定する制御信号は、吹出口５Ａ、５Ｂ，５Ｃ，５Ｄそれぞれに対して、開状態にするための制御信号「開」と、吹出口５Ａ、５Ｂ，５Ｃ，５Ｄそれぞれに対して閉状態にするための制御信号「閉」と、を含む。風量を決定する制御信号は、風量が最も多い制御信号「強」と、風量が最も少ない制御信号「弱」と、風量が中間の制御信号「中」とを含む。
【００３３】
開閉制御部５７は、開閉モータ３１を制御することにより、遮蔽板１１Ａ，１１Ｂ，１１Ｃ，１１Ｄそれぞれを独立して開閉させる。開閉モータ３１を遮蔽板１１Ａ，１１Ｂ，１１Ｃ，１１Ｄそれぞれに対応して４つを設けるようにしてもよいし、１つの開閉モータ３１と４つのクラッチを用いるようにしてもよい。開閉制御部５７は、制御信号受付部５５から吹出口５Ａに対応する「開」の制御信号が入力されると、遮蔽板１１Ａを開状態にし、吹出口５Ａに対応する「閉」の制御信号が入力されると、遮蔽板１１Ａを閉状態にする。開閉制御部５７は、制御信号受付部５５から吹出口５Ｂに対応する「開」の制御信号が入力されると、遮蔽板１１Ｂを開状態にし、吹出口５Ｂに対応する「閉」の制御信号が入力されると、遮蔽板１１Ｂを閉状態にする。開閉制御部５７は、制御信号受付部５５から吹出口５Ｃに対応する「開」の制御信号が入力されると、遮蔽板１１Ｃを開状態にし、吹出口５Ｃに対応する「閉」の制御信号が入力されると、遮蔽板１１Ｃを閉状態にする。開閉制御部５７は、制御信号受付部５５から吹出口５Ｄに対応する「開」の制御信号が入力されると、遮蔽板１１Ｄを開状態にし、吹出口５Ｄに対応する「閉」の制御信号が入力されると、遮蔽板１１Ｄを閉状態にする。開閉制御部５７は、遮蔽板１１Ａ，１１Ｂ，１１Ｃ，１１Ｄそれぞれの状態を状態表示部５９に出力する。
【００３４】
状態表示部５９は、開閉制御部５７から入力される遮蔽板１１Ａ，１１Ｂ，１１Ｃ，１１Ｄそれぞれの状態に基づいて、ＬＥＤ７Ａ，７Ｂ，７Ｃ，７Ｄを点灯させる。具体的には、遮蔽板１１Ａの状態が開状態ならば遮蔽板１１Ａに対応するＬＥＤ７Ａを青色で点灯させ、遮蔽板１１Ａの状態が閉状態ならばＬＥＤ７Ａを赤色で点灯させる。遮蔽板１１Ｂの状態が開状態ならば遮蔽板１１Ｂに対応するＬＥＤ７Ｂを青色で点灯させ、遮蔽板１１Ｂの状態が閉状態ならばＬＥＤ７Ｂを赤色で点灯させる。遮蔽板１１Ｃの状態が開状態ならば遮蔽板１１Ｃに対応するＬＥＤ７Ｃを青色で点灯させ、遮蔽板１１Ｃの状態が閉状態ならばＬＥＤ７Ｃを赤色で点灯させる。遮蔽板１１Ｄの状態が開状態ならば遮蔽板１１Ｄに対応するＬＥＤ７Ｄを青色で点灯させ、遮蔽板１１Ｄの状態が閉状態ならばＬＥＤ７Ｄを赤色で点灯させる。
【００３５】
状態表示部５９が、ＬＥＤ７Ａ，７Ｂ，７Ｃ，７Ｄに点灯する色を、遮蔽板１１Ａ，１１Ｂ，１１Ｃ，１１Ｄの状態に基づいて変更するので、吹出口５Ａ，５Ｂ，５Ｃ，５Ｄそれぞれの状態を、ユーザに通知することができる。
【００３６】
送風制御部５３は、制御信号受付部５５から入力される制御信号に基づいて、送風モータ２１の回転数を制御する。送風制御部５３は、吹出口５Ａ、５Ｂ，５Ｃ，５Ｄそれぞれの状態を決定する信号と、風量を決定する信号とに基づいて、送風モータ２１の回転数を決定する。送風制御部５３は、吹出口５Ａ、５Ｂ，５Ｃ，５Ｄから吹き出される風量が、遮蔽板１１Ａ、１１Ｂ，１１Ｃ，１１Ｄの状態に係わらず、一定となるように送風モータ２１の回転数を決定する。ここでは、送風モータ２１の回転数と、羽２３の送風量とが比例する場合を例に説明する。風量を決定する制御信号が「強」で吹出口５Ａ、５Ｂ，５Ｃ，５Ｄの全てが開状態ならば、最も大きな回転数Ｔｍａｘに決定する。風量を決定する制御信号が「強」で吹出口５Ａ、５Ｂ，５Ｃ，５Ｄのいずれか１つが閉状態で他の３つが開状態ならば、回転数を最大回転数Ｔｍａｘの３／４に決定する。風量を決定する制御信号が「強」で吹出口５Ａ、５Ｂ，５Ｃ，５Ｄのいずれか２つが閉状態で他の２つが開状態ならば、回転数を最大回転数Ｔｍａｘの１／２に決定する。風量を決定する制御信号が「強」で吹出口５Ａ、５Ｂ，５Ｃ，５Ｄのいずれか３つが閉状態で他の１つが開状態ならば、回転数を最大回転数Ｔｍａｘの１／４に決定する。風量を決定する制御信号が「強」で吹出口５Ａ、５Ｂ，５Ｃ，５Ｄの全てが閉状態ならば、回転数を０に決定する。
【００３７】
風量を決定する制御信号が「弱」で吹出口５Ａ、５Ｂ，５Ｃ，５Ｄの全てが開状態ならば、回転数Ｔｍｉｎ（Ｔｍｉｎ＜Ｔｍａｘ）に決定する。風量を決定する制御信号が「弱」で吹出口５Ａ、５Ｂ，５Ｃ，５Ｄのいずれか１つが閉状態で他の３つが開状態ならば、回転数を回転数Ｔｍｉｎの３／４に決定する。風量を決定する制御信号が「弱」で吹出口５Ａ、５Ｂ，５Ｃ，５Ｄのいずれか２つが閉状態で他の２つが開状態ならば、回転数を回転数Ｔｍｉｎの１／２に決定する。風量を決定する制御信号が「弱」で吹出口５Ａ、５Ｂ，５Ｃ，５Ｄのいずれか３つが閉状態で他の１つが開状態ならば、回転数を回転数Ｔｍｉｎの１／４に決定する。風量を決定する制御信号が「弱」で吹出口５Ａ、５Ｂ，５Ｃ，５Ｄの全てが閉状態ならば、回転数を０に決定する。
【００３８】
風量を決定する制御信号が「中」で吹出口５Ａ、５Ｂ，５Ｃ，５Ｄの全てが開状態ならば、回転数Ｔｍｉｄ（Ｔｍｉｎ＜Ｔｍｉｄ＜Ｔｍａｘ）に決定する。風量を決定する制御信号が「中」で吹出口５Ａ、５Ｂ，５Ｃ，５Ｄのいずれか１つが閉状態で他の３つが開状態ならば、回転数を回転数Ｔｍｉｄの３／４に決定する。風量を決定する制御信号が「中」で吹出口５Ａ、５Ｂ，５Ｃ，５Ｄのいずれか２つが閉状態で他の２つが開状態ならば、回転数を回転数Ｔｍｉｄの１／２に決定する。風量を決定する制御信号が「中」で吹出口５Ａ、５Ｂ，５Ｃ，５Ｄのいずれか３つが閉状態で他の１つが開状態ならば、回転数を回転数Ｔｍｉｄの１／４に決定する。風量を決定する制御信号が「中」で吹出口５Ａ、５Ｂ，５Ｃ，５Ｄの全てが閉状態ならば、回転数を０に決定する。
【００３９】
送風制御部５３は、制御信号受付部５５から入力される制御信号に基づいて、送風モータ２１の回転数を決定するので、吹出口５Ａ、５Ｂ，５Ｃ，５Ｄそれぞれから吹き出される空気の量が、ユーザにより決定された「強」「中」「弱」のいずれかの風量とすることができ、遮蔽板１１Ａ、１１Ｂ，１１Ｃ，１１Ｄの状態に係わらず、一定とすることができる。
【００４０】
図４は、空気調和機を遠隔制御するためのリモートコントローラの概観を示す斜視図である。図４を参照して、リモートコントローラ６１は、画像を表示する表示部６３と、ユーザによる操作を受け付ける複数のキー６５と、を含む。表示部６３は、液晶表示装置（ＬＣＤ）である。なお、液晶表示装置に代えて、有機ＥＬディスプレイまたは、エレクトロルミネッセンスを用いるようにしてもよい。
【００４１】
リモートコントローラ６１は、操作を入力するための操作画面を、表示部６３に表示し、ユーザが操作画面に従ってキー６５を操作することにより、操作に対して予め定められた信号の光を送出する。操作画面は、空気調和機の設定状態を表示するための画面である。
【００４２】
図５は、操作画面の一例を示す図である。図５には、吹出口設定画面の一例を示す。吹出口設定画面は、吹出口５Ａ、５Ｂ，５Ｃ，５Ｄそれぞれの状態を表示するための画面であり、また、吹出口５Ａ、５Ｂ，５Ｃ，５Ｄそれぞれの状態を変更する操作を入力するための画面である。吹出口設定画面は、吹出口５Ａ、５Ｂ，５Ｃ，５Ｄそれぞれに付された名称と、状態とを表示する。ここでは、吹出口５Ａに名称「第１吹出口」が、吹出口５Ｂに名称「第２吹出口」が，吹出口５Ｃに名称「第３吹出口」が，吹出口５Ｄに名称「第４吹出口」が、それぞれ割り当てられている。吹出口５Ａ、５Ｂ，５Ｃ，５Ｄそれぞれの名称の右に状態が表示される。ここでは、吹出口５Ａ、５Ｂ，５Ｃ，５Ｄが、閉状態または開状態のいずれかにそれぞれ設定されていることが示される。
【００４３】
また、「第４吹出口  開」が表された行が、反転表示され、操作対象に選択されていることが示される。なお、図において、反転表示をハッチングで示している。この状態で、複数のキー６５のうち、状態を変更するための操作が予め割り当てられたキーがユーザにより操作されると、第４吹出口の名称が割り当てられた吹出口５Ｄの状態を閉状態に変更するための操作が受け付けられる。この場合、リモートコントローラ６１は、吹出口５Ｄを識別するための情報と、開状態を示す情報とを含む制御信号の光を送出する。
【００４４】
以上説明したように本実施の形態における天井埋め込み型空気調和機の室内ユニット１は、４つの吹出口５Ａ，５Ｂ，５Ｃ，５Ｄを有し、４つの吹出口５Ａ，５Ｂ，５Ｃ，５Ｄ羽２３と、羽２３から４つの吹出口５Ａ，５Ｂ，５Ｃ，５Ｄそれぞれに通じる４つの通風路１３Ａ，１３Ｂ，１３Ｃ，１３Ｄと、４つの通風路１３Ａ，１３Ｂ，１３Ｃ，１３Ｄにそれぞれ対応して設けられ、４つの通風路１３Ａ，１３Ｂ，１３Ｃ，１３Ｄをそれぞれ閉鎖する４つの遮蔽板１１Ａ，１１Ｂ，１１Ｃ，１１Ｄと、を備える。このため、４つの通風路１３Ａ，１３Ｂ，１３Ｃ，１３Ｄにそれぞれ対応して４つの遮蔽板１１Ａ，１１Ｂ，１１Ｃ，１１Ｄが設けられるので、４つの通風路１３Ａ，１３Ｂ，１３Ｃ，１３Ｄを独立して閉鎖することができる。このため、４つの通風路１３Ａ，１３Ｂ，１３Ｃ，１３Ｄの任意の１つ以上を閉鎖することができる。
【００４５】
また、羽２３と、４つの通風路１３Ａ，１３Ｂ，１３Ｃ，１３Ｄとの間に設けられた室内熱交換器２５と、室内熱交換器２５に結露する水を受けるドレイン１５Ａ，１５Ｂ，１５Ｃ，１５Ｄと、をさらに備え、４つの遮蔽板１１Ａ，１１Ｂ，１１Ｃ，１１Ｄそれぞれは、４つの通風路１３Ａ，１３Ｂ，１３Ｃ，１３Ｄのうち対応する通風路を閉鎖した状態において、一部がドレイン１５Ａ，１５Ｂ，１５Ｃ，１５Ｄの上側に位置する。このため、４つの遮蔽板１１Ａ，１１Ｂ，１１Ｃ，１１Ｄに結露した水がドレイン１５Ａ，１５Ｂ，１５Ｃ，１５Ｄに流れるので、４つの遮蔽板１１Ａ，１１Ｂ，１１Ｃ，１１Ｄに結露した水が室内に排出されるのを防止することができる。
【００４６】
また、送風モータ２１は、４つの吹出口５Ａ，５Ｂ，５Ｃ，５Ｄのうち閉鎖される吹出口の数に応じて、回転数が制御されるので、４つの吹出口５Ａ，５Ｂ，５Ｃ，５Ｄのうち閉鎖される数に係わらず、風量を一定に保つことができる。
【００４７】
さらに、４つの吹出口５Ａ，５Ｂ，５Ｃ，５Ｄそれぞれの状態を表示するＬＥＤ７Ａ，７Ｂ，７Ｃ、７Ｄを備えるので、４つの吹出口５Ａ，５Ｂ，５Ｃ，５Ｄの状態をユーザに通知することができる。
【００４８】
さらに、天井埋め込み型空気調和機を遠隔制御するためのリモートコントローラ６１は、４つの吹出口５Ａ，５Ｂ，５Ｃ，５Ｄそれぞれの状態を示す吹出口設定画面を表示するので、ユーザに、４つの吹出口５Ａ，５Ｂ，５Ｃ，５Ｄの状態を通知することができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】本実施の形態の１つにおける空気調和機の室内ユニットの概観を示す斜視図である。
【図２】空気調和機の室内ユニットの断面図である。
【図３】室内ユニットを制御するための制御部の機能の一例を示すブロック図である。
【図４】空気調和機を遠隔制御するためのリモートコントローラの概観を示す斜視図である。
【図５】操作画面の一例を示す図である。
【符号の説明】
【００５１】
１  室内ユニット、２  化粧板、３  吸込口、５Ａ，５Ｂ，５Ｃ，５Ｄ  吹出口、７Ａ，７Ｂ，７Ｃ，７Ｄ  ＬＥＤ、９Ａ，９Ｂ，９Ｃ，９Ｄ  風向調整板、１１Ａ，１１Ｂ，１１Ｃ，１１Ｄ  遮蔽板、１３Ａ，１３Ｂ，１３Ｃ，１３Ｄ  通風路、１５Ａ，１５Ｂ，１５Ｃ，１５Ｄ  ドレイン、２１  送風モータ、２３  羽、２５  室内熱交換器、３１  開閉モータ、３３  リモコン受信部、５１  制御部、５３  送風制御部、５５  制御信号受付部、５７  開閉制御部、５９  状態表示部、６１  リモートコントローラ、６３  表示部、６５  キー。
【図１】
2011080705.tif 000003
【図２】
2011080705.tif 000004
【図３】
2011080705.tif 000005
【図４】
2011080705.tif 000006
【図５】
2011080705.tif 000007
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
複数の吹出口を有する天井埋め込み型空気調和機であって、
前記複数の吹出口に空気を送る送風手段と、
前記送風手段から前記複数の吹出口それぞれに通じる複数の通風路と、
前記複数の通風路それぞれに対応して設けられ、風向きを変更する風向調整手段と、
前記複数の通風路にそれぞれ対応して前記風向調整手段とは別に設けられ、前記複数の通風路をそれぞれ閉鎖する複数の閉鎖手段と、を備えた天井埋め込み型空気調和機。
【請求項２】
前記送風手段と、前記複数の通風路それぞれとの間に設けられた熱交換器と、
前記熱交換器に結露する水を受けるドレインと、をさらに備え、
前記複数の閉鎖手段それぞれは、前記複数の通風路のうち対応する通風路を閉鎖した状態において、一部が前記ドレインの上側に位置する、請求項１に記載の天井埋め込み型空気調和機。
【請求項３】
前記送風手段が送る空気の量を制御する送風制御手段をさらに備え、
前記送風制御手段は、前記複数の吹出口のうち閉鎖される吹出口の数に応じて、風量を制御する、請求項１または２のいずれかに記載の天井埋め込み型空気調和機。
【請求項４】
前記複数の吹出口それぞれの状態を表示する第１状態表示手段を、さらに備えた請求項１〜３のいずれかに記載の天井埋め込み型空気調和機。
【請求項５】
請求項１〜４のいずれかに記載の天井埋め込み型空気調和機を遠隔制御するためのリモートコントローラであって、
前記複数の吹出口それぞれの状態を表示する第２状態表示手段を備えた、リモートコントローラ。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】変更
【補正の内容】
【０００７】
上述した目的を達成するためにこの発明のある局面によれば、天井埋め込み型空気調和機は、複数の吹出口を有する天井埋め込み型空気調和機であって、複数の吹出口に空気を送る送風手段と、送風手段から複数の吹出口それぞれに通じる複数の通風路と、複数の通風路それぞれに対応して設けられ、風向きを変更する風向調整手段と、複数の通風路にそれぞれ対応して風向調整手段とは別に設けられ、複数の通風路をそれぞれ閉鎖する複数の閉鎖手段と、を備える。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
複数の吹出口を有する天井埋め込み型空気調和機であって、
前記複数の吹出口に空気を送る送風手段と、
前記送風手段から前記複数の吹出口それぞれに通じる複数の通風路と、
前記複数の通風路それぞれに対応して設けられ、風向きを変更する風向調整手段と、
前記複数の通風路にそれぞれ対応して前記風向調整手段とは別に設けられ、前記複数の通風路をそれぞれ閉鎖する複数の閉鎖手段と、
前記送風手段と、前記複数の通風路それぞれとの間に設けられた熱交換器と、
前記熱交換器に結露する水を受けるドレインと、を備え、
前記複数の閉鎖手段それぞれは、前記複数の通風路のうち対応する通風路を閉鎖した状態において、最下部が前記ドレインの上側に位置する、天井埋め込み型空気調和機。
【請求項２】
前記送風手段が送る空気の量を制御する送風制御手段をさらに備え、
前記送風制御手段は、前記複数の吹出口のうち閉鎖される吹出口の数に応じて、風量を制御する、請求項１に記載の天井埋め込み型空気調和機。
【請求項３】
前記複数の吹出口それぞれの状態を表示する第１状態表示手段を、さらに備えた請求項１または２に記載の天井埋め込み型空気調和機。
【請求項４】
請求項１〜３のいずれかに記載の天井埋め込み型空気調和機を遠隔制御するためのリモートコントローラであって、
前記複数の吹出口それぞれの状態を表示する第２状態表示手段を備えた、リモートコントローラ。
【手続補正２】
【補正対象書類名】明細書
【補正対象項目名】０００７
【補正方法】変更
【補正の内容】
【０００７】
上述した目的を達成するためにこの発明のある局面によれば、天井埋め込み型空気調和機は、複数の吹出口を有する天井埋め込み型空気調和機であって、複数の吹出口に空気を送る送風手段と、送風手段から複数の吹出口それぞれに通じる複数の通風路と、複数の通風路それぞれに対応して設けられ、風向きを変更する風向調整手段と、複数の通風路にそれぞれ対応して風向調整手段とは別に設けられ、複数の通風路をそれぞれ閉鎖する複数の閉鎖手段と、送風手段と、複数の通風路それぞれとの間に設けられた熱交換器と、熱交換器に結露する水を受けるドレインと、を備え、複数の閉鎖手段それぞれは、複数の通風路のうち対応する通風路を閉鎖した状態において、最下部がドレインの上側に位置する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
さらに、閉鎖手段は、通風路を閉鎖した状態において、最下部がドレインの上側に位置するので、閉鎖手段に結露した水がドレインに流れる。このため、閉鎖手段に結露した水が室内に排出されるのを防止することができる。